(57)【要約】【課題】  側壁面から複数本のケーブルが導出される横長の筐体が横長あるいは縦長に設置された際に前部が浮き上がらないようにする。【解決手段】  同軸ケーブルが装着される入力端子１３および出力端子１４が設けられているブースタ筐体１０における側壁面に、同軸ケーブルによる引っ張り加重が印加された際の支点を筐体の外側へ移動させる保持具２０を脱着可能に取り付ける。卓上ブースタ１を縦置きにした際には、保持具２０を取り外して約９０度回転させて側壁面に取り付ける。【選択図】  図１
2005217257.tif 000002
【特許請求の範囲】
【請求項１】
少なくとも電子回路が内蔵されていると共に、側壁面から複数本のケーブルが導出される横長の筐体と、
該筐体における複数本のケーブルが導出される前記側壁面に脱着可能に取り付けられた際に、該筐体の外側へ延伸される土台部と、該土台部から直立して形成されていると共に前記側壁面に脱着可能に係合される直立片とを備え、前記ケーブルによる引っ張り加重が印加された際の支点を前記筐体の外側へ移動させる保持具とを備え、
前記筐体が載置面に対し横長に載置された際には、前記直立片がほぼ垂直になると共に、前記筐体の下面と前記土台部の下面とがほぼ一致するよう前記側壁面の略中央部に前記保持具が脱着可能に取り付けられ、前記筐体が載置面に対し縦長に載置された際には下になる前記筐体の側面と前記土台部の下面とがほぼ一致するよう前記保持具が前記筐体に対して約９０度回転されて前記側壁面の下部に脱着可能に取り付けられることを特徴とする卓上電子機器。
【請求項２】
前記直立片の前縁の上部に、前記側壁面に形成されている第１切欠部の周囲に設けられた周縁部から延伸して形成されている位置決め片に弾性的に係合する突部が形成されており、前記直立片の前縁の下部に、前記周縁部と前記側壁面を形成している側壁部との間の間隙に係合する係合片が形成されており、前記位置決め片は前記筐体が載置面に対し横長に載置された際に上に位置する前記周縁部から延伸して形成されていることを特徴とする請求項１記載の卓上電子機器。
【請求項３】
前記直立片の前縁の上部に、前記側壁面の一端側に形成されている第２切欠部の周囲に設けられた周縁部の内側に形成されている係合突起部に脱着可能に係合する突部が形成されており、前記直立片の前縁の下部に、前記周縁部と前記側壁面を形成している側壁部との間の間隙に係合する係合片が形成されており、前記係合突起部は前記筐体が載置面に対し縦長に載置された際に略垂直に配置される前記周縁部の内側に形成されていることを特徴とする請求項１記載の卓上電子機器。
【発明の詳細な説明】
【技術分野】
【０００１】
本発明は、側壁面から複数本のケーブルが導出される横長の筐体を備え、増幅回路等の電子回路が内蔵されてテレビ等の上に載置される卓上電子機器に関するものである。
【背景技術】
【０００２】
設置したＶＨＦアンテナやＵＨＦアンテナあるいはＢＳ／ＣＳアンテナにおける受信信号電力が所望の値より小さい時には、受信信号を増幅するブースタが用いられている。このブースタにはＶＨＦ／ＵＨＦ信号やＢＳ／ＣＳ信号を増幅する電子回路が内蔵されており、この電子回路にＶＨＦ／ＵＨＦ信号やＢＳ／ＣＳ信号を供給する入力端子と、電子回路により増幅されたＶＨＦ／ＵＨＦ信号やＢＳ／ＣＳ信号を混合して出力する出力端子が設けられている。このブースタにおける入力端子および出力端子にはそれぞれ同軸ケーブルが装着される。
【発明の開示】
【発明が解決しようとする課題】
【０００３】
このようなブースタの内のテレビ等の上に載置する卓上ブースタはコンパクト化されてきており、卓上ブースタの筐体は一般に横長の筐体を備えている。卓上ブースタ１００は、例えば図３０に示すようにテレビ１３０の上に横長で載置されたり、図３１に示すようにテレビ１３０の上に縦長で載置される。しかしながら、卓上ブースタ１００には複数本（例えば、入力用の２本の同軸ケーブルと出力用の２本の同軸ケーブル）の同軸ケーブル１１６が装着されていることから、卓上ブースタ１００を横置きにした場合は同軸ケーブル１１６の自重により図３０示すように前部が浮き上がってしまい、卓上ブースタ１００を縦置きにした場合も同軸ケーブル１１６の自重により図３１示すように前部が浮き上がってしまうという問題点があった。
【０００４】
そこで、本発明は、側壁面から複数本のケーブルが導出される横長の筐体が横長あるいは縦長に設置された際に前部が浮き上がらないようにした卓上電子機器を提供することを目的としている。
【課題を解決するための手段】
【０００５】
上記目的を達成するために、本発明の卓上電子機器は、ケーブルによる引っ張り加重が印加された際の支点を筐体の外側へ移動させる保持具を、筐体における複数本のケーブルが導出される側壁面に脱着可能に取り付けるようにしたことを最も主要な特徴としている。
【発明の効果】
【０００６】
本発明によれば、ケーブルによる引っ張り加重が印加された際の支点を筐体の外側へ移動させる保持具を、筐体における複数本のケーブルが導出される側壁面に脱着可能に取り付けるようにしたので、ケーブルの自重を保持具が支えるようになり筐体の前部が浮き上がってしまうことを防止することができる。この場合、保持具は縦長に設置した場合でも横長に設置した場合でもケーブルによる引っ張り加重が印加された際の支点を筐体の外側へ移動させるよう筐体の側壁面に取り付けることができるため、卓上電子機器を所望に応じて横置きあるいは縦置きとすることができる。
【発明を実施するための最良の形態】
【０００７】
側壁面から複数本のケーブルが導出される横長の筐体が横長あるいは縦長に設置された際に前部が浮き上がらないようにするという目的を、ケーブルによる引っ張り加重が印加された際の支点を筐体の外側へ移動させる保持具を、筐体における複数本のケーブルが導出される側壁面に脱着可能に取り付けることにより実現した。
【０００８】
本発明にかかる卓上電子機器である卓上ブースタの第１実施例の構成を示す斜視図を図１に、その卓上ブースタの構成を示す背面図を図２に示し、その卓上ブースタの構成を示す上面図を図３に示し、その卓上ブースタの構成を示す側面図を図４に示し、その卓上ブースタの使用態様を示す図を図５に示す。
これらの図に示す本発明にかかる卓上ブースタ１のブースタ筐体１０は、横長の箱状とされており、第１実施例は卓上ブースタ１を横長に設置する場合の実施例とされている。卓上ブースタ１は、ＶＨＦアンテナやＵＨＦアンテナあるいはＢＳ／ＣＳアンテナにおける受信信号を増幅して出力する機能を備えており、このブースタ筐体１０の背面の側壁面にはＶＨＦ／ＵＨＦ信号およびＢＳ／ＣＳ信号を供給する２つの同軸接栓からなる入力端子１３と、内蔵された電子回路により増幅されたＶＨＦ／ＵＨＦ信号およびＢＳ／ＣＳ信号を混合して出力する２つの同軸接栓からなる出力端子１４が設けられている。また、ブースタ筐体１０内に内蔵されている電子回路に商用電源を供給するための電源ケーブル１５が上記側壁面から導出されている。ブースタ筐体１０は樹脂を成形することにより作成されている。
【０００９】
ブースタ筐体１０の上面にはＶＨＦ信号、ＵＨＦ信号およびＢＳ／ＣＳ信号の増幅度をそれぞれ調整する３つのゲイン調整つまみ１１が設けられており、ＶＨＦ信号、ＵＨＦ信号およびＢＳ／ＣＳ信号の送り出しレベルを任意に調整することができるようにされている。また、ブースタ筐体１０の上面にはＢＳ／ＣＳアンテナへ電源を供給する送電用スイッチと、２つの入力端子１３にそれぞれＶＨＦ／ＵＨＦ信号およびＢＳ／ＣＳ信号を入力するか、１つの入力端子にＶＨＦ／ＵＨＦ／ＢＳ／ＣＳの混合信号を入力するかを切り換える切換スイッチと、１つの出力端子１４だけを使用するか２つの出力端子１４を使用するかを切り換える切換スイッチとからなる３つのスイッチ１２が設けられている。また、ブースタ筐体１０における底面の四隅には滑らないようにすると共に振動を吸収する底面ブッシュ１８（図８参照）が合計４個設けられている。さらに、ブースタ筐体１０における側面の一側にも滑らないようにすると共に振動を吸収する側面ブッシュ１７（図４，５参照）が１個設けられている。
【００１０】
第１実施例の卓上ブースタ１において特徴的な構成は、横長に設置されるブースタ筐体１０における背面の側壁面の略中央部に保持具２０が脱着可能に取り付けられている構成である。保持具２０の詳細構成は後述するが土台部と土台部から直立して形成されている２枚の直立片を備えており、２枚の直立片が後述する側壁面の周縁部に係合することにより、保持具２０がブースタ筐体に１０に脱着可能に取り付けられるようになる。これにより、図５に示すようにテレビ３０の上に横置きとされた卓上ブースタ１における２つの入力端子１３および２つの出力端子１４にそれぞれ同軸ケーブル１６が装着されて４本の同軸ケーブル１６が導出されても、卓上ブースタ１の支点が保持具２０の後端に移動するようになり４本の同軸ケーブル１６の自重を保持具２０が支えるようになる。従って、卓上ブースタ１の前部が同軸ケーブル１６の自重により浮き上がることを防止することができるようになる。なお、側壁面からは電源ケーブル１５も導出されており、この電源ケーブル１５の自重も保持具２０により支えられるようになる。
【００１１】
次に、本発明にかかる卓上電子機器である卓上ブースタの第２実施例の構成を示す斜視図を図６に、その卓上ブースタの構成を示す側面図を図７に示し、その卓上ブースタの構成を示す上面図を図８に示し、その卓上ブースタの構成を示す背面図を図９に示し、その卓上ブースタの使用態様を示す図を図１０に示す。
これらの図に示す本発明にかかる第２実施例の卓上ブースタ１は卓上ブースタ１を縦長に設置する場合の実施例とされており、ブースタ筐体１０への保持具２０の取り付け構成だけが異なる構成とされており、この異なる構成についてのみ以下に説明する。
【００１２】
第２実施例の卓上ブースタ１において特徴的な構成は、縦長に設置されるブースタ筐体１０における背面における側壁面の下部に保持具２０が脱着可能に取り付けられている構成である。保持具２０の詳細構成は後述するが土台部と土台部から直立して形成されている２枚の直立片を備えており、２枚の直立片が後述する側壁面の下部の周縁部に係合することにより、保持具２０がブースタ筐体に１０に脱着可能に取り付けられている。これにより、図１０に示すようにテレビ３０の上に縦置きとされた卓上ブースタ１における２つの入力端子１３および２つの出力端子１４にそれぞれ同軸ケーブル１６が装着されて４本の同軸ケーブル１６が導出されても、卓上ブースタ１の支点が保持具２０の後端に移動するようになり４本の同軸ケーブル１６の自重を保持具２０が支えるようになる。従って、卓上ブースタ１の前部が同軸ケーブル１６の自重により浮き上がることを防止することができるようになる。保持具２０は樹脂を成形することにより作成されているが、金属ダイキャスト製としても良い。なお、側壁面からは電源ケーブル１５も導出されており、この電源ケーブル１５の自重も保持具２０により支えられるようになる。
【００１３】
次に、保持具２０をブースタ筐体１０の背面における側壁面に脱着可能に取り付ける詳細構成について説明する。
図１１はブースタ筐体１０の背面における側壁面の詳細構成を示す図であり、図１２は図１１に示すＡ−Ａ線で切断した際の断面を示す断面図であり、図１３は図１１に示すＢ−Ｂ線で切断した際の断面を示す断面図である。
図１２に示すようにブースタ筐体１０の背面における側壁面は側壁部１０ｅで閉じられており、この側壁部１０ｅから所定の間隙をおいて側壁部１０ｅにほぼ平行に幅の狭い周縁部１０ｄが延伸して形成されている。これにより、図１１に示すように横長の矩形状の第１切欠部１０ａが側壁面に形成されるようになる。ブースタ筐体１０の略中央部に位置する周縁部１０ｄの上縁からは図１１に示すように一対の位置決め片１０ｃが突出して第１切欠部１０ａに臨むように形成されている。後述するが、この一対の位置決め片１０ｃには保持具２０の２枚の直立片の前縁が係合される。また、周縁部１０ｄと側壁部１０ｅとの間には溝が形成されるようになる。なお、第１切欠部１０ａには側壁面に設けられている２つの入力端子１３および２つの出力端子１４が臨んでいる。
【００１４】
図１３に示すように、側壁部１０ｅから所定の間隙をおいて側壁部１０ｅにほぼ平行に形成されている幅の狭い周縁部１０ｄは、端部に行くほど側壁部１０ｅからの間隔が広がるようにされている。これは、図３や図７に示すように正面側と背面側の側面がアーチ状に形成されているからである。図１１に示すように図１３の断面で示す部分にはほぼ正方形の第２切欠部１０ｂが設けられている。第２切欠部１０ａの上下の周縁部１０ｄにおける第１切欠部１０ａ側の内面には係合突起部１０ｆがそれぞれ形成されており、第２切欠部１０ａの周縁部１０ｄにおける端部側には延伸部１０ｇが側壁部１０ｅに向かい延伸して形成されている。後述するが、この一対の係合突起部１０ｆには保持具２０の２枚の直立片の前縁が係合される。なお、第２切欠部１０ａからは、側壁面から導出された電源ケーブル１５が導出されている。
【００１５】
保持具２０の詳細構成を示す斜視図が図１４に示されており、保持具２０の詳細構成を示す正面図が図１５に示されており、保持具２０の詳細構成を示す側面図が図１６に示されており、保持具２０の詳細構成を示す背面図が図１７に示されており、保持具２０の詳細構成を示す上面図が図１８に示されており、保持具２０の詳細構成を示す底面図が図１９に示されている。
これらの図に示すように、保持具２０は細長い矩形状の土台部２０ａと、土台部２０ａから直立して形成されている台形状の２枚の直立片２０ｂから構成されている。この２枚の直立片２０ｂは所定の間隔を持ってほぼ平行に配置されており、２枚の直立片２０ｂの縦方向の１辺はほぼ垂直に形成されており、この辺が土台部２０ａから前方へ飛び出して位置するように２枚の直立片２０ｂは形成されている。２枚の直立片２０ｂの垂直な辺の上部の前縁にはそれぞれくさび状突部２０ｃが外側の面に縦方向に形成されている。また、一対の直立片２０ｂの垂直な辺の下部にはそれぞれ係合片２０ｄが突出して形成されている。さらに、土台部２０ａの裏面には両端部にそれぞれ滑らないようにすると共に振動を吸収するブッシュ２０ｅが合計２個設けられている。
【００１６】
卓上ブースタ１をテレビ等の上に横長に設置する場合に、保持具２０をブースタ筐体１０に取り付ける取り付け方法を図２０ないし図２４に示す。ただし、図２０は保持具２０をブースタ筐体１０に土台部２０ａの底面がブースタ筐体１０の底面とほぼ同一となるよう取り付ける第１のステップを示す図であり、図２１は保持具２０をブースタ筐体１０に取り付けた状態を示す図であり、図２２はそのｃ部を拡大して示す図であり、図２３は保持具２０をブースタ筐体１０に取り付けた状態の上面図であり、図２４はそのｄ部を拡大して示す図である。
横長に設置するブースタ筐体１０に保持具２０を取り付けるには、まず、図２０に示すように２枚の直立片２０ｂの前部の下部にそれぞれ形成されている係合片２０ｄを、側壁部１０ｅと周縁部１０ｄとの間に形成されている間隙内に係合させる。次いで、２枚の直立片２０ｂの前縁が側壁部１０ｅに当接されるように保持具２０全体を、上記間隙内に係合されている係合片２０ｄを支点として回転させる。すると、周縁部１０ｄに形成されている一対の位置決め片１０ｃの間に２枚の直立片２０ｂが弾性的に収納されて、２枚の直立片２０ｂの前縁上部に形成されているくさび状突部２０ｃが、それぞれ位置決め片１０ｃに弾性的に係合するようになる。
【００１７】
この係合状態が拡大されて図２２に示されている。図２２に示すようにくさび状突部２０ｃが位置決め片１０ｃに係合されてくさび状突部２０ｃは側壁面に固着される。この場合、図２３および図２４に示すようにくさび状突部２０ｃの前面側の傾斜は緩く、後面側の傾斜がきつくされているため、土台部２０ａに直立されて弾性を有している直立片２０ｂは断面がＬ字状に形成されている一対の位置決め片１０ｃの間に容易に挿入されるものの簡単には抜け出ないように係合される。なお、くさび状突部２０ｃの上部も図２２に示すようにカットされているため、側壁部１０ｅと周縁部１０ｄとの間に形成されている間隙内にくさび状突部２０ｃを容易に位置させることができるようになる。
【００１８】
このようにして、一対の位置決め片１０ｃにそれぞれ２枚の直立片２０ｂが係合することにより、ブースタ筐体１０に保持具２０が脱着可能に取り付けられるようになる。この場合、卓上ブースタ１の支点は保持具２０の後端となるため、複数本の同軸ケーブル１６が入力端子１３や出力端子１４に装着されても横置きとされている卓上ブースタ１の前部は浮き上がらないようになる。そして、取り付けられた保持具２０をブースタ筐体１０から取り外す場合は、２枚の直立片２０ｂにおけるくさび状突部２０ｃが形成されている近傍を挟持することにより、２枚の直立片２０ｂの間隔が弾性に抗して狭まりくさび状突部２０ｃの位置決め片１０ｃに対する係合がはずれて、保持具２０をブースタ筐体１０から取り外すことができるようになる。
【００１９】
また、卓上ブースタ１をテレビ等の上に縦長に設置する場合に、保持具２０をブースタ筐体１０に取り付ける取り付け方法を図２５ないし図２９に示す。ただし、図２５は保持具２０をブースタ筐体１０に土台部２０ａの底面がブースタ筐体１０の側面ブッシュ１７が設けられている側面とほぼ同一となるよう取り付ける第１のステップを示す図であり、図２６は保持具２０をブースタ筐体１０に取り付けた状態を示す図であり、図２７はそのｅ部を拡大して示す図であり、図２８は保持具２０をブースタ筐体１０に取り付けた状態の上面図であり、図２９はそのｆ部を拡大して示す図である。
縦長に設置するブースタ筐体１０に保持具２０を取り付けるには、まず、図２５に示すように２枚の直立片２０ｂの前部の下部にそれぞれ形成されている係合片２０ｄを、縦置きとされたブースタ筐体１０の側壁部１０ｅと周縁部１０ｄから突出して形成されている延伸部１０ｇとで形成されている間隙内に係合させる。次いで、２枚の直立片２０ｂの前縁が縦置きとされている側壁部１０ｅに当接されるように保持具２０全体を、上記間隙内に係合している係合片２０ｄを支点として回転させる。すると、両側の周縁部１０ｄの間に２枚の直立片２０ｂが弾性的に収納されて、両側の周縁部１０ｄの内側に形成されている一対の係合突起部１０ｆに２枚の直立片２０ｂの前縁上部に形成されているくさび状突部２０ｃがそれぞれ弾性的に係合するようになる。
【００２０】
この係合状態が拡大されて図２７に示されている。図２７に示すようにくさび状突部２０ｃが係合突起部１０ｆに係合されてくさび状突部２０ｃは側壁面に固着される。この場合、図２８および図２９に示すようにくさび状突部２０ｃの前面側の傾斜は緩く、後面側の傾斜がきつくされているため、土台部２０ａに直立されて弾性を有している直立片２０ｂは周縁部１０ｄの内側に形成されている一対の係合突起部１０ｆと側壁部１０ｅとの間に容易に挿入されるものの簡単には抜け出ないように係合される。なお、くさび状突部２０ｃの上部も図２２に示すようにカットされているため、第２切欠部１０ｂ内にくさび状突部２０ｃを容易に挿入させることができる。
【００２１】
このようにして、一対の位置決め片１０ｃにそれぞれ２枚の直立片２０ｂが弾性的に係合することにより、ブースタ筐体１０に保持具２０が脱着可能に取り付けられるようになる。この場合、卓上ブースタ１の支点は保持具２０の後端となるため、複数本の同軸ケーブル１６が入力端子１３や出力端子１４に装着されても縦置きとされている卓上ブースタ１の前部は浮き上がらないようになる。また、保持具２０の土台部２０ａは横方向に細長い形状とされて図示するように卓上ブースタ１の側面の幅より突出して延伸するようになることから、卓上ブースタ１が縦長に設置された際に卓上ブースタ１の横方向の転倒を防止することができる。そして、取り付けられた保持具２０をブースタ筐体１０から取り外す場合は、２枚の直立片２０ｂにおけるくさび状突部２０ｃが形成されている近傍を挟持することにより、２枚の直立片２０ｂの間隔が弾性に抗して狭まりくさび状突部２０ｃの係合突起部１０ｆに対する係合がはずれて、保持具２０をブースタ筐体１０から取り外すことができるようになる。
【産業上の利用可能性】
【００２２】
以上の説明では、卓上電子機器は卓上ブースタとしたが、本発明はこれに限るものではなく側壁面からケーブルが導出される分岐器や分配器等に適用することができる。
【図面の簡単な説明】
【００２３】
【図１】本発明にかかる卓上電子機器である卓上ブースタの第１実施例の構成を示す斜視図である。
【図２】本発明にかかる卓上電子機器である卓上ブースタの第１実施例の構成を示す背面図である。
【図３】本発明にかかる卓上電子機器である卓上ブースタの第１実施例の構成を示す上面図である。
【図４】本発明にかかる卓上電子機器である卓上ブースタの第１実施例の構成を示す側面図である。
【図５】本発明にかかる卓上電子機器である卓上ブースタの第１実施例の使用態様を示す図である。
【図６】本発明にかかる卓上電子機器である卓上ブースタの第２実施例の構成を示す斜視図である。
【図７】本発明にかかる卓上電子機器である卓上ブースタの第２実施例の構成を示す側面図である。
【図８】本発明にかかる卓上電子機器である卓上ブースタの第２実施例の構成を示す上面図である。
【図９】本発明にかかる卓上電子機器である卓上ブースタの第２実施例の構成を示す背面図である。
【図１０】本発明にかかる卓上電子機器である卓上ブースタの第２実施例の使用態様を示す図である。
【図１１】本発明にかかる卓上電子機器におけるブースタ筐体の背面における側壁面の詳細構成を示す図である。
【図１２】本発明にかかる卓上電子機器におけるブースタ筐体の背面における側壁面のＡ−Ａ線で切断した断面図である。
【図１３】本発明にかかる卓上電子機器におけるブースタ筐体の背面における側壁面のＢ−Ｂ線で切断した断面図である。
【図１４】本発明にかかる卓上電子機器における保持具の詳細構成を示す斜視図である。
【図１５】本発明にかかる卓上電子機器における保持具の詳細構成を示す正面図である。
【図１６】本発明にかかる卓上電子機器における保持具の詳細構成を示す側面図である。
【図１７】本発明にかかる卓上電子機器における保持具の詳細構成を示す背面図である。
【図１８】本発明にかかる卓上電子機器における保持具の詳細構成を示す正面図である。
【図１９】本発明にかかる卓上電子機器における本体部の詳細構成を示す底面図である。
【図２０】本発明にかかる卓上電子機器における保持具を横置きのブースタ筐体に取り付ける取り付け方法の第１ステップを示す図である。
【図２１】本発明にかかる卓上電子機器における保持具を横置きのブースタ筐体に取り付けた状態を示す図である。
【図２２】本発明にかかる卓上電子機器における保持具を横置きのブースタ筐体に取り付けた状態の一部を拡大して示す図である。
【図２３】本発明にかかる卓上電子機器における保持具を横置きのブースタ筐体に取り付けた状態の上面図である。
【図２４】本発明にかかる卓上電子機器における保持具を横置きのブースタ筐体に取り付けた状態の上面図の一部を拡大して示す図である。
【図２５】本発明にかかる卓上電子機器における保持具を縦置きのブースタ筐体に取り付ける取り付け方法の第１ステップを示す図である。
【図２６】本発明にかかる卓上電子機器における保持具を縦置きのブースタ筐体に取り付けた状態を示す図である。
【図２７】本発明にかかる卓上電子機器における保持具を縦置きのブースタ筐体に取り付けた状態の一部を拡大して示す図である。
【図２８】本発明にかかる卓上電子機器における保持具を縦置きのブースタ筐体に取り付けた状態の上面図である。
【図２９】本発明にかかる卓上電子機器における保持具を縦置きのブースタ筐体に取り付けた状態の上面図の一部を拡大して示す図である。
【図３０】従来の卓上ブースタを横置きに設置した使用態様を示す図である。
【図３１】従来の卓上ブースタを縦置きに設置した使用態様を示す図である。
【符号の説明】
【００２４】
１  卓上ブースタ、１０  ブースタ筐体、１０ａ  第１切欠部、１０ｂ  第２切欠部、１０ｃ  位置決め片、１０ｄ  周縁部、１０ｅ  側壁部、１０ｆ  係合突起部、１０ｇ  延伸部、１２  スイッチ、１３  入力端子、１４  出力端子、１５  電源ケーブル、１６  同軸ケーブル、１７  側面ブッシュ、１８  底面ブッシュ、２０  保持具、２０ａ  土台部、２０ｂ  直立片、２０ｃ  くさび状突部、２０ｄ  係合片、２０ｅ  ブッシュ、３０  テレビ、１００  卓上ブースタ、１１６  同軸ケーブル、１３０  テレビ
【図１】
2005217257.tif 000003
【図２】
2005217257.tif 000004
【図３】
2005217257.tif 000005
【図４】
2005217257.tif 000006
【図５】
2005217257.tif 000007
【図６】
2005217257.tif 000008
【図７】
2005217257.tif 000009
【図８】
2005217257.tif 000010
【図９】
2005217257.tif 000011
【図１０】
2005217257.tif 000012
【図１１】
2005217257.tif 000013
【図１２】
2005217257.tif 000014
【図１３】
2005217257.tif 000015
【図１４】
2005217257.tif 000016
【図１５】
2005217257.tif 000017
【図１６】
2005217257.tif 000018
【図１７】
2005217257.tif 000019
【図１８】
2005217257.tif 000020
【図１９】
2005217257.tif 000021
【図２０】
2005217257.tif 000022
【図２１】
2005217257.tif 000023
【図２２】
2005217257.tif 000024
【図２３】
2005217257.tif 000025
【図２４】
2005217257.tif 000026
【図２５】
2005217257.tif 000027
【図２６】
2005217257.tif 000028
【図２７】
2005217257.tif 000029
【図２８】
2005217257.tif 000030
【図２９】
2005217257.tif 000031
【図３０】
2005217257.tif 000032
【図３１】
2005217257.tif 000033